(57)【要約】【課題】導出手段により容器から導出した液体を導出操作に対して遅れることなく、効率よく導出することができる電気湯沸かし器を提供することを目的とする。【解決手段】第１の逆止弁ケース２８および第１の逆止弁ケース２８と連通しその上方開口部を覆う第２の逆止弁ケース２６とを備え、第２の逆止弁ケース２６は、凹形状をした下ケース２９と、下ケース２９の凹形状の上方開口部を覆って下ケース２９とともにケース内導出路３１を形成する上ケース３２とを有し、上ケース３２はその一部を下ケース２９側に向けて凸形状としてケース内導出路３１の内容積を下ケース２９の凹形状による内容積よりも減少させた。これによって、導出操作後にはケース内導出路３１がすぐに湯で満たされるため、導出操作に対して遅れることなく、湯を効率よく導出することができる。【選択図】図２
2006305095.tif 000002
【特許請求の範囲】
【請求項１】
液体を収容する容器と、前記容器内の液体を導出する導出手段と、前記容器から導出された液体を本体の給湯口側に導く導出路と、前記給湯口と導出路間に接続される第１の逆止弁ケースおよび第１の逆止弁ケースと連通しその上方開口部を覆う第２の逆止弁ケースとを備え、前記第２の逆止弁ケースは、凹形状をした下ケースと、下ケースの凹形状の上方開口部を覆って下ケースとともにケース内導出路を形成する上ケースとを有し、上ケースはその一部を下ケース側に向けて凸形状として前記ケース内導出路の内容積を下ケースの凹形状による内容積よりも減少させた電気湯沸かし器。
【請求項２】
第２の逆止弁ケースの下ケースに、第１の逆止弁ケースからの液体が通過する通孔を設け、この通孔に相対する上ケースの凸形状の高さを通孔上部とその外周部とで異ならせ、その外周部を下ケースに近接させた請求項１に記載の電気湯沸かし器。
【請求項３】
下ケースと上ケースとのシール面を一平面上に形成した請求項１または２に記載の電気湯沸かし器。
【請求項４】
下ケース内に隔壁を設けて球状弁を内包する弁収納部を形成し、この弁収納部は球状弁の定位置が給湯口と反対側になるよう傾斜させるとともに、給湯口と球状弁との間は隔壁のない開口部とし、導出した液体をこの開口部から給湯口側に導出する請求項１〜３のいずれか１項に記載の電気湯沸かし器。
【請求項５】
給湯口と反対側の弁収納部にケース内導出路と連通する連通部を設け、導出した液体をこの連通部と開口部から給湯口側に導出する請求項４に記載の電気湯沸かし器。
【請求項６】
連通部を弁収納部の下方に位置して設けた請求項５に記載の電気湯沸かし器。
【請求項７】
開口部を連通部よりも大きくし、開口部から給湯口側への液体の導出量を連通部からの導出量よりも多くした請求項５または６に記載の電気湯沸かし器。
【請求項８】
弁収納部に設けた弁シール孔の開口面積をケース内導出路の液体の流れに対する直角方向の断面積よりも大きくした請求項１〜７のいずれか１項に記載の電気湯沸かし器。
【発明の詳細な説明】
【技術分野】
【０００１】
本発明は、容器内の液体を導出する電動ポンプなどの導出手段と、本体が傾斜したり転倒したりした時に不意に給湯口から湯が流出するのを防ぐための逆止弁とを備えた電気湯沸かし器に関するものである。
【背景技術】
【０００２】
従来、この種の電気湯沸かし器としては、図１１〜図１３に示すようなものが知られている（例えば、特許文献１参照）。
【０００３】
その構成は、図に示すように、本体１内には、加熱用のヒータを有した容器２が備えられ、容器２の底には容器２内の湯を本体１外へ導く導出手段３（電動ポンプ）が取り付けられている。導出手段３は水管４と連結され、水管４は給湯口５を備えたケース体６に接続されている。ケース体６は摺動弁７を内包する接続ケース８と、接続ケース８の上方開口部を覆う被覆部９ａを備えた凹形状の下ケース９と、下ケース９の凹部９ｃの上方開口部を覆って下ケース９とともにケース内導出路１１を形成する上ケース１２で構成されている。下ケース９の被覆部９ａには接続ケース８側からの液体が通過する通孔９ｄが設けられている。また、給湯口５近傍の下ケース９内には球状弁１０を内包する弁収納部９ｂが設けられ、凹部９ｃの深さは弁収納部９ｂに合わせてある。
【特許文献１】特開２００４−３４４２７７号公報
【発明の開示】
【発明が解決しようとする課題】
【０００４】
しかしながら、前記従来の構成では、弁収納部９ｂに深さを合わせた凹部９ｃを上ケース１２で覆うだけであったため、下ケース９と上ケース１２で形成したケース内導出路１１が大きな空間となっていた。その結果、導出手段３を操作した場合には、まずケース内導出路１１の空間が湯で満たされて、その後、給湯口５から湯が出始めるため、湯の出るタイミングが導出操作に対して遅れていた。
【０００５】
本発明は、前記従来の課題を解決するもので、導出手段により容器から導出した液体を導出操作に対して遅れることなく、効率よく導出することができる電気湯沸かし器を提供することを目的とする。
【課題を解決するための手段】
【０００６】
前記従来の課題を解決するために、本発明の電気湯沸かし器は、第１の逆止弁ケースおよび第１の逆止弁ケースと連通しその上方開口部を覆う第２の逆止弁ケースとを備え、第２の逆止弁ケースは、凹形状をした下ケースと、下ケースの凹形状の上方開口部を覆って下ケースとともにケース内導出路を形成する上ケースとを有し、上ケースはその一部を下ケース側に向けて凸形状としてケース内導出路の内容積を下ケースの凹形状による内容積よりも減少させたものである。
【０００７】
これによって、導出操作後にはケース内導出路がすぐに湯で満たされるため、導出操作に対して遅れることなく、湯を効率よく導出することができる。
【発明の効果】
【０００８】
本発明の電気湯沸かし器は、導出操作に対して遅れることなく、湯を効率よく導出することができる。
【発明を実施するための最良の形態】
【０００９】
第１の発明は、液体を収容する容器と、前記容器内の液体を導出する導出手段と、前記容器から導出された液体を本体の給湯口側に導く導出路と、前記給湯口と導出路間に接続される第１の逆止弁ケースおよび第１の逆止弁ケースと連通しその上方開口部を覆う第２の逆止弁ケースとを備え、前記第２の逆止弁ケースは、凹形状をした下ケースと、下ケースの凹形状の上方開口部を覆って下ケースとともにケース内導出路を形成する上ケースとを有し、上ケースはその一部を下ケース側に向けて凸形状として前記ケース内導出路の内容積を下ケースの凹形状による内容積よりも減少させた電気湯沸かし器とすることにより、導出操作後にはケース内導出路がすぐに湯で満たされるため、導出操作に対して遅れることなく、湯を効率よく導出することができる。
【００１０】
第２の発明は、特に、第１の発明において、第２の逆止弁ケースの下ケースに、第１の逆止弁ケースからの液体が通過する通孔を設け、この通孔に相対する上ケースの凸形状の高さを通孔上部とその外周部とで異ならせ、その外周部を下ケースに近接させたことにより、通孔と凸形状部との距離を取ることができ導出された湯の流速を落すことなく湯を流すことができる。
【００１１】
第３の発明は、特に、第１または第２の発明において、下ケースと上ケースとのシール面を一平面上に形成したことにより、下ケースと上ケースのシールが容易になりシールを確実にすることができる。
【００１２】
第４の発明は、特に、第１〜第３のいずれか１つの発明において、下ケース内に隔壁を設けて球状弁を内包する弁収納部を形成し、この弁収納部は球状弁の定位置が給湯口と反対側になるよう傾斜させるとともに、給湯口と球状弁との間は隔壁のない開口部とし、導出した液体をこの開口部から給湯口側に導出することにより、球状弁がケース内導出路の湯の流れから隔離され、球状弁に湯の流れによる給湯口側に移動する力を与えないようにすることができる。
【００１３】
第５の発明は、特に、第４の発明において、給湯口と反対側の弁収納部にケース内導出路と連通する連通部を設け、導出した液体をこの連通部と開口部から給湯口側に導出することにより、湯の流れが速い場合は、球状弁の回りの湯が流れに引っ張られるが、連通部からも湯を導出しているため、球状弁が給湯口側に吸引されるのを防ぐことができる。
【００１４】
第６の発明は、特に、第５の発明において、連通部を弁収納部の下方に位置して設けたことにより、球状弁に給湯口側に回転する力を与えないようにすることができる。
【００１５】
第７の発明は、特に、第５または第６の発明において、開口部を連通部よりも大きくし、開口部から給湯口側への液体の導出量を連通部からの導出量よりも多くしたことにより、開口部から給湯口側への湯の導出量が連通部からの導出量よりも多くなり、導出された湯が連通部から多量に流入して球状弁を押し出してしまうのを防ぐことができる。
【００１６】
第８の発明は、特に、第１〜第７のいずれか１つの発明において、弁収納部に設けた弁シール孔の開口面積をケース内導出路の液体の流れに対する直角方向の断面積よりも大きくしたことにより、球状弁が湯に浸かって浮力が働き転げやすくなるのを防ぐことができる。
【００１７】
以下、本発明の実施の形態について、図面を参照しながら説明する。なお、この実施の形態によって本発明が限定されるものではない。
【００１８】
（実施の形態１）
図１〜図３は、本発明の実施の形態１における電気湯沸かし器を示している。
【００１９】
図に示すように、本体２１内には、液体を収容し加熱ヒータを有した容器２２が備えられ、容器２２の底には容器２２内の湯を本体２１外へ導く導出手段２３（電動ポンプ）が取り付けられている。導出手段２３は容器２２から導出された液体を本体２１の給湯口２５側に導く導出路２４と連結され、導出路２４は給湯口２５と導出路２４間に接続される第１の逆止弁ケース２８および第１の逆止弁ケース２８と連通しその上方開口部を覆う第２の逆止弁ケース２６に接続されている。第２の逆止弁ケース２６には給湯口２５を備えている。
【００２０】
前記第１の逆止弁ケース２８は摺動弁２７を内包している。また、第２の逆止弁ケース２６は、第１の逆止弁ケース２８の上方開口部を覆う被覆部２９ａを備えた凹形状をした下ケース２９と、下ケース２９の凹形状の上方開口部を覆って下ケース２９とともにケース内導出路３１を形成する上ケース３２とを有し、上ケース３２はその一部を下ケース２９側に向けて凸形状として前記ケース内導出路３１の内容積を下ケース２９の凹形状による内容積よりも減少させた構成としている。
【００２１】
また、下ケース２９と上ケース３２は外周がシールされ、シール面３２ｂは湯にさらされにくいように上ケース３２の凹部３２ａの上方に設けてある。そして、シール面３２ｂはシールを容易にするため、一平面上に設けられている。また、下ケース２９の凹部２９ｃは導出手段２３の操作を止めた時に湯がすぐに止まるよう第１の逆止弁ケース２８側が低くなるよう傾斜させてある。さらに、下ケース２９の被覆部２９ａには第１の逆止弁ケース２８側からの液体が通過する通孔２９ｄが設けられている。また、給湯口２５近傍の下ケース２９内には球状弁３０を内包する弁収納部２９ｂが形成され、弁収納部２９ｂと先端部２９ｅの間には弁シール孔２９ｆが設けられている。上ケース３２の通孔２９ｄから弁収納部２９ｂの間は下ケース２９側に向けて凸形状とし、既述したように、この凸部３２ａを下ケース２９の凹部２９ｃにはめ込んでケース内導出路３１の内容積を減じてある。なお、ケース内導出路３１の湯の流れに対する直角方向の断面積を通孔２９ｃの断面積と略同一にすれば、湯の流れの抵抗にならずかつケース内導出路３１に溜まる湯の量を少なくすることができる。容器２２の上方開口部は蓋３６で覆われている。
【００２２】
以上のように形成された電気湯沸かし器について、以下その動作、作用を説明する。
【００２３】
操作により導出手段２３を駆動すると容器２２内の湯が導出され、導出路２４を通って第１の逆止弁ケース２８および第２の逆止弁ケース２６に注入される。すなわち、第１の逆止弁ケース２８、ケース内導出路３１、弁収納部２９ｂと順に湯で満たされて行き、先端部２９ｅが湯で満たされると給湯口２５から湯が給湯される。この時、通孔２９ｄから弁収納部２９ｂ間のケース内導出路３１の断面積を減じてあるため、ケース内導出路３１に溜まる湯量が少なく、導出操作後、ケース内導出路３１がすぐに湯で満たされて導出操作に対して遅れることなく湯が給湯口２５から出てくる。そして、導出操作を止めた時には、満たされた湯の量が少ないため、湯はすばやく効率よく容器２２側に戻る。
【００２４】
なお、本体２１が傾斜したり転倒したりした時には、摺動弁２７が通孔２９ｄを閉じ、球状弁３０が弁シール孔２９ｆを閉じるので、不意に給湯口２５から湯が流出するのを防ぐことができるものである。
【００２５】
また、下ケース２９と上ケース３２の外形形状に関係なく凸部３２ａを凹部２９ｃにはめ込むことによりケース内導出路３１の内容積を所望の量にできるため、外形については内蔵物に合わせて自由に設定することができる。さらに、シール面３２ｂを凹部２９ｃの上方に設けシール面３２ｂを湯にさらされにくくしているため、シール面３２ｂの劣化を抑えることができる。また、上記説明では導出手段２３を電動ポンプとしているが、導出手段２３は容器２２内の湯を導出できるものであればよく、蓋３６にベローズ式エアーポンプを設けたものでもよい。
【００２６】
（実施の形態２）
図４は、本発明の実施の形態２における電気湯沸かし器を示している。実施の形態１と同一要素については同一符号を付してその説明を省略する。
【００２７】
本実施の形態における電気湯沸かし器は、第２の逆止弁ケース２６の下ケース２９に設けた、第１の逆止弁ケース２８からの液体が通過する通孔２９ｄに相対する上ケース３２の凸形状の高さ（凸部３２ａの高さ）を、通孔２９ｄ上部とその外周部とで異ならせ、その外周部を下ケース２９に近接させた構成としている。すなわち、通孔２９ｄの上部だけでケース内導出路３１を形成しているものである。
【００２８】
このように、本実施の形態では、上ケース３２の凸形状の高さを配慮したことにより、通孔２９ｄと凸部３２ａとの距離を取ることができ、導出された湯の流速を落すことなく湯を流すことができる。
【００２９】
（実施の形態３）
図５は、本発明の実施の形態３における電気湯沸かし器を示している。実施の形態１と同一要素については同一符号を付してその説明を省略する。
【００３０】
本実施の形態における電気湯沸かし器は、下ケース２９と上ケース３２とのシール面３２ｂを一平面上に形成したものである。
【００３１】
このように、本実施の形態では、シール面３２ｂが一平面上にあるため、シール方法によらず下ケース２９と上ケース３２のシールを容易で確実にすることができる。
【００３２】
（実施の形態４）
図６は、本発明の実施の形態４における電気湯沸かし器を示している。実施の形態１と同一要素については同一符号を付してその説明を省略する。
【００３３】
本実施の形態における電気湯沸かし器は、下ケース２９内に隔壁３３を設けて球状弁３０を内包する弁収納部２９ｂを形成し、この弁収納部２９ｂは球状弁３０の定位置が給湯口２５と反対側になるよう底面を傾斜させるとともに、給湯口２５と球状弁３０との間は隔壁３３のない開口部３４とし、導出した液体をこの開口部３４から給湯口２５側に導出するようにしたものである。
【００３４】
このように、本実施の形態では、隔壁３３、開口部３４を設け、弁収納部２９ｂの底面を傾斜させたことにより、球状弁３０がケース内導出路３１の湯の流れから隔離され、定位置にとどまり、球状弁３０に湯の流れによる給湯口２５側に移動する力を与えないようにすることができる。これにより、電気湯沸かし器の快適使用が可能となる。
【００３５】
（実施の形態５）
図７は、本発明の実施の形態５における電気湯沸かし器を示している。実施の形態１と同一要素については同一符号を付してその説明を省略する。
【００３６】
本実施の形態における電気湯沸かし器は、給湯口２５と反対側の弁収納部２９ｂにケース内導出路３１と連通する連通部３５を設け、導出した液体をこの連通部３５と開口部３４から給湯口２５側に導出するようにしてある。
【００３７】
このように、本実施の形態では、連通部３５を設けることにより、湯の流れが速い場合は、球状弁３０の回りの湯が流れに引っ張られるが、連通部３５からも湯を導出しているため、球状弁３０が給湯口２５側に吸引されるのを防ぐことができる。これにより、電気湯沸かし器の快適使用が可能となる。
【００３８】
（実施の形態６）
図８は、本発明の実施の形態６における電気湯沸かし器を示している。実施の形態１と同一要素については同一符号を付してその説明を省略する。
【００３９】
本実施の形態における電気湯沸かし器は、ケース内導出路３１と連通する連通部３５を弁収納部２９ｂの下方に位置して設けたものである。
【００４０】
このように、本実施の形態では、連通部３５の位置を弁収納部２９ｂの下方にしたことにより、球状弁３０に給湯口２５側に回転する力を与えないようにする（逆方向の力を付与）ことができる。これにより、電気湯沸かし器の快適使用が可能となる。
【００４１】
（実施の形態７）
図９は、本発明の実施の形態７における電気湯沸かし器を示している。実施の形態１と同一要素については同一符号を付してその説明を省略する。
【００４２】
本実施の形態における電気湯沸かし器は、開口部３４を連通部３５よりも大きくし、開口部３４から給湯口２５側への液体の導出量を連通部３５からの導出量よりも多くしたものである。
【００４３】
このように、本実施の形態では、開口部３４を連通部３５よりも大きくしたことにより、開口部３４から給湯口２５側への湯の導出量が連通部３５からの導出量よりも多くなり、導出された湯が連通部３５から多量に流入して球状弁３０を押し出してしまうのを防ぐことができる。これにより、電気湯沸かし器の快適使用が可能となる。
【００４４】
（実施の形態８）
図１０は、本発明の実施の形態８における電気湯沸かし器を示している。実施の形態１と同一要素については同一符号を付してその説明を省略する。
【００４５】
本実施の形態における電気湯沸かし器は、弁収納部２９ｂに設けた弁シール孔２９ｆの開口面積をケース内導出路３１の液体の流れに対する直角方向の断面積よりも大きくしたものである。
【００４６】
このように、本実施の形態では、弁シール孔２９ｆの開口面積をケース内導出路３１の断面積よりも大きくしたことにより、ケース内導出路３１からの導出量よりも弁シール孔２９ｆから多くの湯を流せるようにしてある。従って、弁収納部２９ｂが湯で満たされにくくなり、球状弁３０が湯に浸かって浮力が働き転げやすくなるのを防ぐことができる。これにより、電気湯沸かし器の快適使用が可能となる。
【産業上の利用可能性】
【００４７】
以上のように、本発明にかかる電気湯沸かし器は、導出操作に対して遅れることなく、湯を効率よく導出することができるので、給水器などの用途にも適用できる。
【図面の簡単な説明】
【００４８】
【図１】本発明の実施の形態１における電気湯沸かし器の断面図
【図２】同電気湯沸かし器の逆止弁ケース部分の拡大断面図
【図３】同電気湯沸かし器のケース内導出路の側断面図
【図４】本発明の実施の形態２における電気湯沸かし器のケース内導出路の側断面図
【図５】本発明の実施の形態３における電気湯沸かし器の逆止弁ケース部分の拡大断面図
【図６】本発明の実施の形態４における電気湯沸かし器の逆止弁ケース部分の拡大断面図
【図７】本発明の実施の形態５における電気湯沸かし器の逆止弁ケース部分の拡大断面図
【図８】本発明の実施の形態６における電気湯沸かし器の逆止弁ケース部分の拡大断面図
【図９】（ａ）本発明の実施の形態７における電気湯沸かし器の逆止弁ケース部分の一部拡大断面図（ｂ）同側断面図
【図１０】（ａ）本発明の実施の形態８における電気湯沸かし器の逆止弁ケース部分の一部側断面図（ｂ）同他部側断面図
【図１１】従来の電気湯沸かし器の断面図
【図１２】同電気湯沸かし器の逆止弁ケース部分の拡大断面図
【図１３】同電気湯沸かし器のケース内導出路の側断面図
【符号の説明】
【００４９】
２１  本体
２２  容器
２３  導出手段
２５  給湯口
２６  第２の逆止弁ケース
２８  第１の逆止弁ケース
２９  下ケース
２９ａ  被覆部
２９ｂ  弁収納部
２９ｃ  凹部
２９ｄ  通孔
２９ｅ  先端部
２９ｆ  弁シール孔
３０  球状弁
３１  ケース内導出路
３２  上ケース
３２ａ  凸部
３２ｂ  シール面
３３  隔壁
３４  開口部
３５  連通部
【図１】
2006305095.tif 000003
【図２】
2006305095.tif 000004
【図３】
2006305095.tif 000005
【図４】
2006305095.tif 000006
【図５】
2006305095.tif 000007
【図６】
2006305095.tif 000008
【図７】
2006305095.tif 000009
【図８】
2006305095.tif 000010
【図９】
2006305095.tif 000011
【図１０】
2006305095.tif 000012
【図１１】
2006305095.tif 000013
【図１２】
2006305095.tif 000014
【図１３】
2006305095.tif 000015